(57)【特許請求の範囲】
【請求項１】
主コンデンサと、該主コンデンサに充電を行うフライバック式ＤＣ／ＤＣコンバータとを有するコンデンサ充電装置において、
前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が停止するまでの時間を計時する二次電流放出時間計時手段と、前記主コンデンサの充電電圧を検出する充電電圧検出手段と、該充電電圧検出手段にて検出された充電電圧が、前記二次電流放出時間計時手段にて計時された二次電流放出時間に対応する正常時における前記主コンデンサの充電電圧の範囲外である場合に、コンデンサ充電装置の回路を異常と判定する異常検出手段とを有することを特徴とするコンデンサ充電装置。
【請求項２】
前記二次電流放出時間と正常時における前記主コンデンサの充電電圧の関係をあらかじめ記憶していることを特徴とする請求項１に記載のコンデンサ充電装置。
【請求項３】
請求項１または２に記載のコンデンサ充電装置を有することを特徴とするカメラのストロボ充電装置。
【発明の詳細な説明】
【０００１】
【発明の属する技術分野】
本発明は、フライバック式ＤＣ／ＤＣコンバータを有するコンデンサ充電装置およびカメラのストロボ充電装置の改良に関するものである。
【０００２】
【従来の技術】
従来、ストロボ装置に具備される回路の異常検出を行う構成として、特開平０８−００８０８９号のように、昇圧動作開始時にスタートするタイマを使い、一定の時間後の充電電圧を記憶し、その後バッテリーチェックを行い、十分バッテリーがあるのに充電レベルが低いときには、充電昇圧動作を停止させるとともに警告を行うものがあった。
【０００３】
【発明が解決しようとする課題】
しかしながら上記従来例では、フォワード方式のＤＣ／ＤＣコンバータの回路の異常を検出するためのものであって、回路の異常を検出するために上記のように一定の時間を待つ必要があった。そのため、上記一定の時間分だけ回路の異常を検出するのが遅れてしまう欠点があった。
【０００４】
（発明の目的）
本発明の目的は、部品点数を増加させることなく、回路の異常を充電開始直後に行うことのできるコンデンサ充電装置およびカメラのストロボ充電装置を提供しようとするものである。
【０００５】
【課題を解決するための手段】
上記目的を達成するために、本発明は、主コンデンサと、該主コンデンサに充電を行うフライバック式ＤＣ／ＤＣコンバータとを有するコンデンサ充電装置において、前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が停止するまでの時間を計時する二次電流放出時間計時手段と、前記主コンデンサの充電電圧を検出する充電電圧検出手段と、該充電電圧検出手段にて検出された充電電圧が、前記二次電流放出時間計時手段にて計時された二次電流放出時間に対応する正常時における前記主コンデンサの充電電圧の範囲外である場合に、コンデンサ充電装置の回路を異常と判定する異常検出手段とを有するコンデンサ充電装置とするものである。
【０００９】
同じく上記目的を達成するために、本発明は、本発明の上記コンデンサ充電装置を有するカメラのストロボ充電装置とするものである。
【００１０】
【発明の実施の形態】
以下、本発明を図示の実施の形態に基づいて詳細に説明する。
【００１１】
（実施の第１の形態）
図１は本発明の実施の第１の形態に係るフライバック式ＤＣ／ＤＣコンバータを具備するストロボ装置を有するカメラの主要部分の回路構成を示すブロック図である。
【００１２】
同図において、１０１は電源であるところの電池、１０１ａは電池内部抵抗である。１０２はコンデンサであり、電池１０１と並列に接続されている。１０３はＩＣより成る制御回路であり、カメラの測光、測距、レンズ駆動、フィルム給送等のカメラシーケンス及びストロボ装置の制御を行う。１０３ｃはＤ／Ａコンバータであり、マイコン１０３ａの設定信号により、任意に電圧を出力する。１０３ｂはＡ／Ｄコンバータであり、入力された電圧をデジタル化する。１０３ｄはコンパレータであり、後述のトランス１０４の一次巻線の電流が設定電流に至ったか否かを抵抗１２３にて発生する電圧を基に検出する。１０３ｅは抵抗であり、コンパレータ１０３ｄの出力をプルアップしている。１０３ｆは二次電流の放出時間を計時する二次電流放出時間計時ブロックである。
【００１３】
１０４はトランスであり、電池１０１の正極、一次巻線、電池１０１の負極のループで電流を流すことにより、エネルギーをコアに蓄積しそのエネルギーで逆起電力を発生させる。１０５は電解効果トランジスタ(以下，ＦＥＴという）であり、トランス１０４の一次巻線の電流を駆動する。１０７は主コンデンサであり、電荷を蓄積する。１０６は高圧整流ダイオードであり、アノードはトランス１０４の二次巻線の巻き終わりに接続され、カソードは主コンデンサ１０７の陽極に接続されている。１１９は抵抗であり、後述のトランジスタ１２０のベース・エミッタ間に接続されている。１２０はトランジスタでり、ベースが主コンデンサ１０７の陰極に、エミッタがトランス１０４の二次巻線の巻き始めに、それぞれ接続され、トランス１０４の二次巻線より発生した逆起電力を主コンデンサ１０７に蓄積する電荷の電流ループを、高圧整流ダイオード１０６を含めた構成で形成する。
【００１４】
１２１は抵抗であり、片側をトランジスタ１２０のコレクタに、もう片側を制御回路１０３に、それぞれ接続されている。１２２は抵抗であり、抵抗１２１が接続される制御回路１０３の入力を電源Ｖｃｃにプルアップしている。１０８はトリガー回路である。１０９は放電管であり、トリガー回路１０８よりトリガー電圧を受け、主コンデンサ１０７に蓄積された電荷により発光する。１１０は充電電圧分圧回路であり、主コンデンサ１０７に蓄積された電圧を分圧し、充電電圧を制御回路１０３内のＡ／Ｄコンバータ１０３ｂにより検出する。
【００１５】
１１１は測光装置であり、被写体輝度を検出する。１１２は測距装置であり、被写体までの距離を検出する。１１３はレンズ駆動装置であり、測距装置１１２からの検出結果をもとに撮影レンズの駆動を行い、フィルム面に被写体ピントを合わせる。１１４はシャッタ駆動装置であり、測光装置１１１からの検出結果をもとに露出制御を行う。１１５はフィルム駆動装置であり、フィルムのオートローディング、巻き上げ、巻戻しを行う。１１６はカメラを撮影準備状態にするメインスイッチ（ＭＡＩＮＳＷ）、１１７（ＳＷ１）はスイッチであり、シャッタ釦の第１ストロークでカメラ内の電気回路を起動させ、測光及び測距等の検出を行わせる。１１８（ＳＷ２）はスイッチであり、シャッタ釦の第２ストロークでオンし、前記スイッチＳＷ１のオン以後の撮影シーケンスの起動信号を発生する。
【００１６】
また、ａはＦＥＴ１０５のゲート入力信号（ＦＥＴＧＡＴＥ）、ｂはトランス１０４の一次巻線に流れる一次電流、ｃはトランス１０４の二次巻線に流れる二次電流である。ｄは、抵抗１２１と抵抗１２２が接続され且つ制御回路１０３へ接続されている二次電流検出信号である。
【００１７】
図２は昇圧動作時のタイミングチャートであり、詳しくは、図２（ａ）は主コンデンサ１０７の充電電圧が５０Ｖ程度、図２（ｂ）は主コンデンサ１０７の充電電圧が１５０Ｖ程度、図２（ｃ）は主コンデンサ１０７の充電電圧が３００Ｖ程度の時の各電流及び信号ａ〜ｄである。
【００１８】
次に、昇圧動作について、図２（ａ） の主コンデンサ１０７の充電電圧が５０Ｖ程度の時を例にして、以下に説明する。
【００１９】
制御回路１０３から接続端子を介してＦＥＴ１０５のゲートに所定の発振信号（ａの▲１▼のタイミング) を与える。この為、ＦＥＴ１０５の制御電極にハイレベルの信号が与えられることで、ドレイン・ソース、トランス１０４の一次巻線、電池負極のループで電流が流れる。この為、トランス１０４の二次巻線には誘導起電力が発生するが、この電流の極性は高圧整流用ダイオード１０６によりブロックされる極性となるため、該トランス１０４からは励起電流が流れず、エネルギーがトランス１０４内コアに蓄積される。このエネルギー蓄積（電流駆動）は、一次巻線の電流が所定電流に達する (ｂの▲２▼のタイミング) まで行われる。
【００２０】
ここで、所定電流まで電流駆動を行ったら、ＦＥＴ１０５のゲートをローレベルにしてＦＥＴ１０５をオフ（ａの▲２▼のタイミング) にして電流を遮断して非導通とする。これにより、トランス１０４の二次巻線には逆起電力が発生する。この逆起電力は二次電流（ｃの▲２▼〜▲３▼のタイミング）として、整流ダイオード１０６、主コンデンサ１０７、抵抗１１９及びトランジスタ１２０のループで流れ、主コンデンサ１０７に電荷が蓄積される。トランス１０４内のエネルギーが放出され、二次の電流が分流されてローレベルとなっていた二次電流検出信号ｄが、二次電流ｃが停止した時点（ｄの▲３▼のタイミング) で、ローレベルからハイレベルに反転する。この二次電流検出信号ｄがローレベルからハイレベルに反転したことを受けて、制御回路１０３はＦＥＴ１０５のゲートに再びハイレベル信号が発生させ、同様に再びＦＥＴ１０５を導通（ａの▲３▼のタイミング) してトランス１０４にエネルギーの蓄積を行い、また、ローレベル信号によりＦＥＴ１０５は非導通となり、トランス１０４の蓄積エネルギーが放出され、電荷が主コンデンサ１０７に充電される。
【００２１】
この動作を繰り返し、図２（ａ) →（ｂ）→（ｃ）に示すように、二次電流ｃの放出時間（二次電流ｃの▲２▼〜▲３▼のタイミング）を短く変化させながら、主コンデンサ１０７の電圧を上昇させていく。この充電回路は、一般的にフライバック方式と呼ばれている。
【００２２】
以下、図１の回路構成において、図３〜図６をもとに、その動作について説明する。
【００２３】
まず、メインスイッチ１１６のオン時のシーケンスについて、図３のフローチャートに従って説明する。
【００２４】
ステップ＃１０１にて、メインスイッチ１１６がオンしたか否かの判定を行い、該メインスイッチ１１６がオンしていればステップ＃１０２へ進み、電池電圧がカメラの動作可能電圧であるか否かを検出するためのバッテリーチェック（ＢＣ）を行い、その結果をマイコン１０３ａ内のＲＡＭに記憶する。次のステップ＃１０３では、上記ステップ＃１０２にて行ったバッテリーチェックの結果がカメラ動作可能な電圧であるか否かの判定を行い、動作可能電圧（ＢＣＯＫ）であったらステップ＃１０４へ進むが、動作が不可能な電圧であったらステップ＃１０１へ戻る。
【００２５】
電池電圧がカメラの動作可能電圧であるとしてステップ＃１０４へ進むと、被写体輝度検出の為に測光装置１１１による測光を行い、その結果をマイコン内１０３ａ内のＲＡＭに記憶する。そして、次のステップ＃１０５にて、上記ステップ＃１０４によりマイコン内１０３ａ内のＲＡＭに記憶した測光結果から、撮影に際してストロボ発光を必要とする測光結果であるか否かを判定する。この結果、ストロボ発光を必要としない輝度で、ストロボ予備充電を必要としないことを判定すると、このシーケンスを終了する。一方、上記ステップ＃１０５にてストロボ発光が必要な輝度であり、ストロボ予備充電を必要とする場合はステップ＃１０６へ進み、フラッシュモードとしてストロボ充電を行う（この詳細は図４を用いて以下に説明する）。そして、このシーケンスを終了する。
【００２６】
次に、図３のステップ＃１０６でのフラッシュモード時の動作について、図４のフローチャートに従って説明する。
【００２７】
まず、ステップ＃３０１にて、充電タイマをスタートする。そして、次のステップ＃３０２にて、前述した回路動作によりＦＥＴ１０５のゲートに駆動信号を制御回路１０３より出力し、充電を開始する。続くステップ＃３０３では、二次電流放出時間の検出を行う。この二次電流の放出時間は、前述した図２（ａ）〜（ｃ）の▲２▼〜▲３▼のタイミングの時間である。この放出時間を、二次電流放出時間計時ブロック１０３ｆにて計時する。つまり、ＦＥＴ１０５の駆動信号（ＦＥＴＧＡＴＥａ）のオフ（立下り）を受けてカウンタによる計時を開始し、二次電流ｃの消失まで（二次電流検出信号ｄがハイレベルになるまで）でその計時を停止することにより行う。この二次電流の放出時間の検出は、回路の異常を検出するために行うものである。
【００２８】
ここで、例えばトランス１０４の二次巻線、整流ダイオード１０６、主コンデンサ１０７、トランジスタ１２０のループで構成される放電ループがオープン状態になった場合の回路動作を、図５のタイミングチャートを用いて説明する。
【００２９】
制御回路１０３から接続端子を介してＦＥＴ１０５のゲートに所定の発振信号（図５のａの▲１▼のタイミング) を与える。この為、ＦＥＴ１０５の制御電極にハイレベルの信号が与えられることで、ドレイン・ソース、トランス１０４の一次巻線、電池負極のループで電流が流れる。この為、トランス１０４の二次巻線には誘導起電力が発生するが放電ループがオープンであるため、該トランス１０４からは励起電流が流れず、エネルギーがトランス１０４内コアに蓄積される。このエネルギー蓄積（電流駆動）は、一次巻線の電流が所定電流に達する (ｂの▲２▼のタイミング) まで行われる。
【００３０】
ここで所定電流まで電流駆動を行ったら、ＦＥＴ１０５のゲートをローレベルにしてＦＥＴ１０５をオフ（ｂの▲２▼のタイミング) にし、電流を遮断して非導通にするとともに、二次電流放出時間計時ブロック１０３ｆにてカウンタによる計時を開始する。これにより、トランス１０４の二次巻線には逆起電力が発生する。この逆起電力は回路が正常であれば前述した通り、二次電流（図２（ａ）〜（ｃ）のｃの▲２▼〜▲３▼のタイミング）として、整流ダイオード１０６、主コンデンサ１０７、ダイオード１２０のループで電流が流れ、主コンデンサ１０７に電荷が蓄積される。
【００３１】
しかし、二次側の放電ループがオープン状態であった場合（図５のｃの▲２▼のタイミング) 、二次電流ｃが発生しない。よって、ＦＥＴ１０５のゲートをローレベルとして該ＦＥＴ１０５をオフ（図５のａの▲２▼のタイミング) にして電流を遮断して非導通にしても、二次電流検出信号ｄはローレベルに変化しない（図５のｄの▲２▼のタイミング) で常にハイレベルの状態にある。このため、二次電流放出時間計時ブロック１０３ｆの計時時間は検出されない。よって、回路にトラブルがあると検出できる。
【００３２】
また、異なった回路トラブルの例として、トランス１０４の一次側巻線或いは、二次側巻線がショートした場合の回路動作を、図６のタイミングチャートにより説明する。
【００３３】
制御回路１０３から接続端子を介してＦＥＴ１０５のゲートに所定の発振信号（図６のａの▲１▼のタイミング) を与える。この為、ＦＥＴ１０５の制御電極にハイレベルの信号が与えられることで、ドレイン・ソース、トランス１０４のショートされた一次巻線、電池負極のループで電流が流れる。そして、電流駆動は所定電流に達する (図６のｂの▲２▼のタイミング) まで行われる。このとき、ショートされた一次巻線の電流は急速に所定電流に達する。ここで所定電流まで電流駆動を行ったら、ＦＥＴ１０５のゲートをローレベルとして該ＦＥＴ１０５をオフ（図６のａの▲２▼のタイミング) にして電流を遮断して非導通とする。これにより、回路が正常であればトランス１０４の二次巻線には逆起電力が発生する。
【００３４】
しかし、一次巻線がショート状態であれば、トランス１０４にエネルギーが蓄積されない。よって、前述した二次放電ループオープン時と同様に、ＦＥＴ１０５のゲートをローレベルにして該ＦＥＴ１０５をオフ（図６のａの▲２▼のタイミング) にして電流を遮断して非導通にしても、二次電流検出信号ｄはローレベルに変化しない（図６のｄの▲２▼のタイミング) で常にハイレベルの状態にある。このため、二次電流放出時間計時ブロック１０３ｆの計時時間は検出されない。よって、回路にトラブルがあると検出できる。
【００３５】
また、二次側巻線がショートした場合も、一次巻線のショート時と同様なタイミングチャートとなり、回路にトラブルがあると検出できる。
【００３６】
以上説明したように、正常な回路状態では二次電流ｃの放出時間が検出されるのに対して、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった、回路のトラブルが発生した場合、二次電流放出時間は検出されない結果となる。そしてここでは、計時時間の結果をマイコン１０３ａ内のＲＡＭに記憶する。この検出結果は、一次巻線への一発目の電流駆動時に検出可能であり、従来のように一定の時間を待つことなく、充電開始から極めて早いタイミングで回路の異常を検出できる。
【００３７】
図４に戻り、次のステップ＃３０４では、上記ステップ＃３０３にて行った二次電流放出時間の検出結果から回路の異常状態であるか否かの判定を行う。前述した通り、二次電流放出時間が検出された場合、回路は正常である。よって、この場合はステップ＃３０４からステップ＃３０７へ進む。しかし、二次電流放出時間が検出されない場合は回路に異常がある。よって、この場合はステップ＃３０４からステップ＃３０５へ進み、充電を停止して、次のステップ＃３０６にて、回路の異常フラグを立て充電シーケンスを終了する。
【００３８】
また、上記ステップ＃３０４にて正常としてステップ＃３０７へ進むと、ここでは制御回路１０３内のＡ／Ｄコンバータ１０３ｄに充電電圧分圧回路１１０を介した電圧により充電電圧の検出を行い、その検出結果をマイコン１０３ａ内のＲＡＭに記憶する。そして、次のステップ＃３０８にて、上記ステップ＃３０７にて検出した充電電圧が充電完了の電圧であるか否かの判定を行い、充電完了が検出されていなければステップ＃３１１へ進み、上記ステップ＃３０１にて開始した充電タイマが所定時間を経過したか否かの判定を行い、該充電タイマが所定時間経過していたらステップ＃３１２へ進み、上記ステップ＃３０２にて開始した充電を停止して、次のステップ＃３１３にて、充電ＮＧのフラグを立てて、充電シーケンスを終了する。
【００３９】
一方、上記ステップ＃３１１にて充電タイマが所定時間を経過していない場合はステップ＃３０２に戻り、充電を継続する。そして、ステップ＃３０３→＃３０４→＃３０７→＃３０８→＃３１１の動作を繰り返し行い、ステップ＃３０８にて充電完了を検出することが出来たらステップ＃３０９へ進み、上記ステップ＃３０２にて開始した充電を停止し、次のステップ＃３１０にて、充電ＯＫフラグを立てて、充電シーケンスを終了するとともに、図３のメインスイッチのオン時のシーケンスを終了する。
【００４０】
次に、図７のフローチャートに従って、カメラのレリーズシーケンスについて説明をする。
【００４１】
まずステップ＃２０１にて、レリーズ釦の第１ストロークでオンするスイッチＳＷ１（１０７）の状態を調べ、オンしていなければオンするまでこのステップに留まる。その後、該スイッチＳＷ１がオンするとステップ＃２０２ヘ進み、上記ステップ＃１０２と同様に、電池電圧がカメラ動作が可能であるか否かを検出するためのバッテリーチェック（ＢＣ）を行い、その検出結果を、マイコン１０３ａ内のＲＡＭに記憶する。そして、次のステップ＃２０３にて、上記ステップ＃２０２にて行ったバッテリーチェックの結果から、電池電圧がカメラ動作可能な電圧であるか否かの判定を行い、動作可能電圧であったらステップ＃２０４へ進み、動作が不可能な電圧であったらステップ＃２０１へ戻る。
【００４２】
電池電圧がカメラ動作可能な電圧であるとしてステップ＃２０４へ進むと、測距装置１１２により被写体までの距離を検出し、マイコン１０３ａ内のＲＡＭにその測距結果を記憶する。続くステップ＃２０５では、測光装置１１１により被写体輝度の検出を行い、その結果（測光結果）をマイコン１０３ａ内のＲＡＭに記憶する。
【００４３】
その後はステップ＃２０６へ進み、上記ステップ＃２０５にて得られた測距結果をもとにストロボ発光が必要であるか否かの判定を行う。ストロボ発光が必要な場合としては、撮影状況が暗い、 或いは逆光等がある。ここでストロボ発光が必要である場合はステップ＃２０７へ進み、ストロボ発光が必要でなかったらステップ＃２０９へ進み、スイッチＳＷ２（１１８）のオンの待機状態になる。
【００４４】
上記ステップ＃２０６にてストロボ発光が必要であるとしてステップ＃２０７へ進むと、図４のフローチャートにて示した充電シーケンスを実行する。この充電シーケンスは、前述した通りなのでここではその説明は省略する。その後はステップ＃２０８へ進み、充電が完了がしたか否かの判定をする。この判定は、上記ステップ＃２０７の充電シーケンスにて充電がＯＫになったか否かのフラグより判定し、充電がＯＫであり、充電が完了していたらステップ＃２０９のスイッチＳＷ２（１１８）のオンの待機状態に入る。一方、充電がＮＧであり、充電が完了していなかったらステップ＃２０１へ戻る。
【００４５】
ステップ＃２０９へ進み、スイッチＳＷ２（１１８）のオンの待機状態において、該スイッチＳＷ２がオンしたことを検出するとステップ＃２１０へ進み、上記ステップ＃２０４にて得られた測距結果に従い、レンズ駆動装置１１３により撮影レンズの駆動制御を行う。そして、次のステップ＃２１１にて、上記ステップ＃２０５にて得られた測光結果より、ストロボ発光が必要であったら制御回路１０３からのトリガー信号を受けてトリガ回路１０８が発光信号を出力し、ストロボ発光を行う。又これと同時に、シャッタ駆動装置１１４によるシャッタ駆動制御を行う。次にステップ＃２１２では、合焦位置にあるレンズを該レンズの初期位置に戻すレンズリセットを行う。
【００４６】
続くステップ＃２１３では、フィルム駆動装置１１５により次の撮影駒へのフィルム給送制御を行い、次のステップ＃２１４にて、ストロボ予備充電を行うか否かの判定を行う。ここで、ストロボ予備充電を行わない場合とは、上記ステップ＃２０５にて行った測光結果をもとに上記ステップ＃２０６にて判定した結果がフラッシュモードで無い場合である。この場合はステップ＃２０１へ戻る。
【００４７】
また、ストロボ予備充電を行う場合はステップ＃２１４からステップ＃２１５へ進み、図４のフローチャートにて前述した充電シーケンスを実行する。その後はステップ＃２０１へ戻る。
【００４８】
以上の実施の第１の形態によれば、主コンデンサ１０７に充電を行う、フライバック式ＤＣ／ＤＣコンバータを有し、該ＤＣ／ＤＣコンバータのトランス１０４の一次巻線に電流駆動を行うＦＥＴ１０５と、該ＦＥＴ１０５の電流の駆動停止により発生する二次巻線に流れる二次電流を検出するマイコン１０３ａと、前記ＦＥＴ１０５の一次巻線への電流の駆動停止から二次電流が所定電流まで低下する時間を計時する二次電流放出時間計時ブロック１０３ｆとを有し、前記二次電流放出時間計時ブロック１０３ｆの計時結果から回路の異常を検出行うようにしている。
【００４９】
詳しくは、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった、回路のトラブルが発生し、二次電流放出時間が検出されない。このような場合は、回路の異常であると判定するようにしている。
【００５０】
そして、この二次電流放出時間の結果は、一次巻線への一回目の電流駆動時に検出可能であり、従来のように一定の時間を待つことなく、充電開始から極めて早いタイミングで回路の異常を検出できる。
【００５１】
（実施の第２の形態）
次に、本発明の実施の第２の形態について説明する。
【００５２】
本発明の実施の第２の形態は、前述の実施の第１の形態で説明した、図３のメインスイッチ１１６のオン時のフローチャートにおけるステップ＃１０６と図７のレリーズシーケンスにおけるステップ＃２０７及び＃２１５での、充電を行うフラッシュモードのシーケンスのみが異なるので、このフラッシュモードのシーケンスについてのみ、図８のフローチャートに従って説明する。
【００５３】
フラッシュモードに入ると、まずステップ＃４０１にて、充電タイマをスタートさせる。そして、次のステップ＃４０２にて、前述した回路動作によりＦＥＴ１０５のゲートに駆動信号を制御回路１０３より出力し、充電を開始する。続くステップ＃４０３では、二次電流放出時間の検出を行う。この二次電流の放出時間は、前述した回路動作の、図２の▲２▼〜▲３▼のタイミングの時間である。この放出時間を二次電流放出時間計時ブロック１０３ｆにて計時する。つまり、ＦＥＴ１０５の駆動信号のオフ（立下り）を受けてカウンタによる計時を開始し、二次電流の消失（二次電流検出信号ｄのハイレベル）までの時間を計時する。この二次電流の放出時間の検出は、回路の異常を検出するために行うものである。
【００５４】
ここで例えば、トランス１０４の二次巻線、整流ダイオード１０６、主コンデンサ１０７、ダイオード１２０のループで電流が流れ、主コンデンサ１０７で構成する、放電ループがオープン状態になった場合の回路動作を、図５のタイミングチャートで説明する。
【００５５】
制御回路１０３から接続端子を介してＦＥＴ１０５のゲートに所定の発振信号（図５のａの▲１▼のタイミング) を与える。この為、ＦＥＴ１０５の制御電極にハイレベルの信号が与えられることで、ドレイン・ソース、トランス１０４の一次巻線、電池負極のループで電流が流れる。この為にトランス１０４の二次巻線には誘導起電力が発生するが、放電ループがオープンであるため、トランス１０４からは励起電流が流れず、エネルギーがトランス１０４内コアに蓄積される。このエネルギー蓄積（電流駆動）は、一次巻線の電流が所定電流に達する (図５のｂの▲２▼のタイミング) まで行われる。
【００５６】
ここで、所定電流まで電流駆動を行ったら、ＦＥＴ１０５のゲートをローレベルとしてＦＥＴ１０５をオフ（図５のｂの▲２▼のタイミング) にして電流を遮断して非導通にするとともに、二次電流放出時間計時ブロック１０３ｆにてカウンタによる計時を開始する。これにより、トランス１０４の二次巻線には逆起電力が発生する。この逆起電力は回路が正常であれば前述した通り、二次電流（図２のｃの▲２▼〜▲３▼のタイミング）として、整流ダイオード１０６、主コンデンサ１０７、ダイオード１２０のループで電流が流れ、主コンデンサ１０７に電荷が蓄積される。
【００５７】
しかし、二次側の放電ループがオープン状態であった場合（図５のｃの▲２▼のタイミング) 、二次電流が発生しない。よって、ＦＥＴ１０５のゲートをローレベルとして該ＦＥＴ１０５をオフ（図５のａ▲２▼のタイミング) にして電流を遮断して非導通にしても、二次電流検出信号ｄはローレベルに変化しない（図５のｄの▲２▼のタイミング) で常にハイレベルの状態にある。このため、二次電流放出時間計時ブロック１０３ｆの計時時間は検出されない。よって、回路にトラブルがあると検出できる。
【００５８】
また、異なった回路トラブルの例として、トランス１０４の一次側巻線或いは、二次側巻線がショートした場合の回路動作を、図６のタイミングチャートで説明する。
【００５９】
制御回路１０３から接続端子を介してＦＥＴ１０５のゲートに所定の発振信号（図６のａの▲１▼のタイミング) を与える。この為、ＦＥＴ１０５の制御電極にハイレベルの信号が与えられることで、ドレイン・ソース、トランス１０４のショートされた一次巻線、電池負極のループで電流が流れる。そして、電流駆動は所定電流に達する (図６のｂの▲２▼のタイミング) まで行われる。このとき、ショートされた一次巻線の電流は急速に所定電流に達する。ここで所定電流まで電流駆動を行ったら、ＦＥＴ１０５のゲートをローレベルとして該ＦＥＴ１０５をオフ（図６のａ▲２▼のタイミング) にして電流を遮断して非導通とする。これにより、回路が正常であればトランス１０４の二次巻線には逆起電力が発生する。
【００６０】
しかし、一次巻線がショート状態にあり、トランス１０４にエネルギーが蓄積されない。よって、前述した二次放電ループオープン時と同様に、ＦＥＴ１０５のゲートをローレベルとして該ＦＥＴ１０５をオフ（図６のａ▲２▼のタイミング) にして電流を遮断して非導通にしても、二次電流検出信号ｄはローレベルに変化しない（図６のｄの▲２▼のタイミング) で常にハイレベルの状態にある。このため、二次電流放出時間検出ブロック１０３ｆの計時時間は検出されない。よって、回路にトラブルがあると検出できる。
【００６１】
また、二次側巻線がショートした場合も一次巻線のショート時と同様なタイミングチャートとなり、回路にトラブルがあると検出できる。
【００６２】
上記説明したように、正常な回路状態では二次電流の放出時間が検出されるのに対して、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった、回路のトラブルが発生した場合、二次電流放出時間検出ブロック１０３ｆの計時時間は検出されない結果となる。そして、計時時間の結果をマイコン１０３ａ内のＲＡＭに記憶する。
【００６３】
次のステップ＃４０４では、上記ステップ＃４０３にて行った二次電流放出時間の検出結果から回路の異常状態であるか否かの判定を行う。前述した通り、二次電流放出時間が検出された場合、電池１０１、トランス１０４、ＦＥＴ１０５で構成される一次巻線の駆動ループ回路、及び、トランス１０４の二次巻線、整流ダイオード１０６、主コンデンサ１０７、ダイオード１２０のループで構成される放電ループ回路は正常である。よって、ステップ＃４０４からステップ＃４０５へ進む。しかし、二次電流放出時間は検出されない場合は回路に異常がある。よって、ステップ＃４１３へ進み、充電を停止して、次のステップ＃４１４にて、回路の異常フラグを立て充電シーケンスを終了する。
【００６４】
また、上記ステップ＃４０４にて正常としてステップ＃４０５へ進むと、制御回路１０３内のＡ／Ｄコンバータ１０３ｄに充電電圧分圧回路１１０を介した電圧により充電電圧の検出を行い、その検出結果をマイコン１０３ａ内のＲＡＭに記憶する。そして、次のステップ＃４０６にて、上記ステップ＃４０３にて検出し二次電流放出時間と上記ステップ＃４０５にて検出した充電電圧（Ａ／Ｄ変換値）とを比較する。この充電電圧と二次電流放出時間の比較は、以下のように行う。
【００６５】
まず、充電電圧と二次電流放出時間の関係について、図９を用いて説明する。
【００６６】
あるトランスに所定のエネルギー（一次電流）で蓄積が行われていた時、主コンデンサの充電電圧が２０Ｖ程度の時は、二次電流の放出時間は、図９から約２５μＳであり、充電電圧が５０Ｖでは、二次電流の放出時間は約１０μＳであり、充電電圧が１００Ｖでは、二次電流の放出時間は約５μＳであり、充電電圧が２００Ｖでは、二次電流の放出時間は約３μＳであり、充電電圧が３００Ｖでは、二次電流の放出時間は約２μＳである、というように充電電圧に対して二次電流放出時間は変化する。この充電電圧と二次電流の放出時間の関係は、トランスの大きさや巻線の巻数によってトランス毎に異なるが、同様の大きさと巻線の巻数であったら、同様の特性となる。
【００６７】
即ち、ステップ＃４０６にて、上記ステップ＃４０３にて検出し、マイコン１０３ａ内のＲＡＭに記憶した二次電流放出時間より概略の充電電圧が判る。よって、この二次電流放出時間と、上記ステップ＃４０５にて検出し、マイコン１０３ａ内のＲＡＭに記憶した充電電圧のＡ／Ｄ変換値を比較することにより、回路の異常を検出できる。
【００６８】
例えば、マイコン１０３ａ内のＲＡＭに記憶したＡ／Ｄ変換値から導き出される充電電圧の検出結果が５０Ｖ程度の検出結果を検出したとする。それに対して、二次電流放出時間が３μＳの二次電流放出時間を検出したとする。本来正常な状態にある回路であった場合、検出されるＡ／Ｄ変換値は充電電圧が３００Ｖ程度とならなければならない。このような検出状態からは、充電電圧を検出するＡ／Ｄ変換値の入力に何らかの問題あることが判定できる。例えば他の信号との干渉（リーク）やＡ／Ｄ信号ラインの断線等が考えられる。図１１に、Ａ／Ｄコンバータの断線時のタイミングチャートを示している。
【００６９】
よって、上記二次電流放出時間と充電電圧のＡ／Ｄ変換値の比較を行うステップ＃４０６では、上記ステップ＃４０４にて行った二次電流放出時間のみでの異常検出と異なる部分の充電電圧検出系の回路トラブルを検出することができる。
【００７０】
また、ここでの回路異常であるか否かの判定の仕方としては、図１０に示すような条件を満たした結果を回路が正常とする。この条件は、充電電圧に応じて二次電流放出時間をｔとしてある程度の幅を持った条件とする。また、この回路を正常とする二次電流放出時間の条件は、トランスの大きさ、巻線の巻数に応じて任意に設定するものである。
【００７１】
以上のように、図８のステップ＃４０６にて二次電流放出時間と充電電圧のＡ／Ｄ変換値の比較を行い、その結果から回路が異常と判定したらステップ＃４１３へ進み、充電を停止して、次のステップ＃４１４にて、回路の異常フラグを立て充電シーケンスを終了する。
【００７２】
一方、回路が正常と判定した場合はステップ＃４０７へ進み、上記ステップ＃４０５にて検出した充電電圧が充電完了の電圧であるか否かの判定を行い、充電完了が検出されなかったらステップ＃４１０へ進み、ここでは上記ステップ＃４０１にて開始した充電タイマが所定時間経過したか否かの判定を行う。ここで、充電タイマが所定時間経過していなければステップ＃４０２へ戻り、充電を継続する。そして、ステップ＃４０３→＃４０４→＃４０５→＃４０６→＃４０７→＃４１０の各動作を繰り返しながら、ステップ＃４０７にて充電完了を検出できたらステップ＃４０８へ進み、上記ステップ＃４０２にて開始した充電を停止して、次のステップ＃４０９にて充電ＯＫフラグを立てて、充電シーケンスを終了する。
【００７３】
以上の実施の第２の形態によれば、主コンデンサ１０７に充電を行う、フライバック式ＤＣ／ＤＣコンバータを有し、該ＤＣ／ＤＣコンバータのトランス１０４の一次巻線に電流駆動を行うＦＥＴ１０５と、該ＦＥＴ１０５の電流の駆動停止により発生する二次巻線に流れる二次電流を検出するマイコン１０３ａと、前記ＦＥＴ１０５の一次巻線への電流の駆動停止から二次電流が放出されるまでの時間を計時する二次電流放出時間計時ブロック１０３ｆとを有し、前記二次電流放出時間計時プロック１０３ｆの計時結果から回路の異常を検出行うようにしている。
【００７４】
つまり、二次電流放出時間とステップ＃４０５にて検出した充電電圧のＡ／Ｄ変換値の関係を、例えば既知の図１０の関係に当てはまるかを判定し、当てはまらない場合は、回路の異常として検出するようにしている。詳しくは、既知の図１０の関係から、検出される二次電流放出時間に対して、主コンデンサ１０７の充電電圧が所定電圧範囲外である時には、回路が異常であると判定するようにしている。
【００７５】
そして、上記二次電流放出時間の結果は、一次巻線への一発目の電流駆動時に検出可能であり、従来のように一定の時間を待つことなく、充電開始から極めて早いタイミングで回路の異常を検出できる。
【００７６】
なお、上記実施の第１及び第２の形態によれば、制御回路１０３によるフライバック式ＤＣ／ＤＣコンバータの他励制御による昇圧方式であったが、昇圧方式は、他励制御に限るものでは無く、自励制御によるフライバック式ＤＣ／ＤＣコンバータの昇圧方式でも、二次電流を検出するような構成にすることにより、同様に回路トラブル検出が可能であることは言うまでもない。
【００７７】
更に言えば、他励制御における一次電流駆動方式においても、一次電流が所定電流に達したことにより一次電流の駆動を停止する、電流検出タイプに限るものでは無く、一次電流を所定時間駆動を行う、所定時間駆動タイプでも可能であることは言うまでも無い。
【００７８】
【発明の効果】
以上説明したように、本発明によれば、部品点数を増加させることなく、回路の異常を充電開始直後に行うことができるコンデンサ充電装置又はカメラのストロボ充電装置を提供できるものである。
【図面の簡単な説明】
【図１】本発明の実施の各形態に係るカメラの主要部分の回路構成を示すブロック図である。
【図２】本発明の実施の第１の形態において回路が正常時のタイミングチャートである。
【図３】本発明の実施の第１の形態におけるカメラ動作の一部を示すフローチャートである。
【図４】本発明の実施の第１の形態における充電時の動作を示すフローチャートである。
【図５】本発明の実施の第１の形態において回路が異常時のタイミングチャートの一例を示すタイミングチャートである。
【図６】本発明の実施の第１の形態において回路が異常時のタイミングチャートの他の例を示すタイミングチャートである。
【図７】本発明の実施の第１の形態におけるカメラの一連の動作を示すフローチャートである。
【図８】本発明の実施の第２の形態における充電時の動作を示すフローチャートである。
【図９】本発明の実施の第２の形態に係る充電電圧と二次電流放出時間の関係を示す図である。
【図１０】本発明の実施の第２の形態に係る充電電圧と二次電流放出時間の関係を示す図である。
【図１１】本発明の実施の第２の形態において回路が異常時のタイミングチャートの一例を示すタイミングチャートである。
【符号の説明】
１０１    電池
１０２    コンデンサ
１０３    制御回路
１０４    トランス
１０５    ＦＥＴ
１０６    高圧整流ダイオード
１０７    主コンデンサ
１０８    トリガー回路
１０９    放電管
１１０    充電電圧検出装置
１１９    抵抗
１２０    トランジスタ
１２１    抵抗
１２２    抵抗
１２３    抵抗
【図１】
0003893290.tif 000002
【図２】
0003893290.tif 000003
【図３】
0003893290.tif 000004
【図４】
0003893290.tif 000005
【図５】
0003893290.tif 000006
【図６】
0003893290.tif 000007
【図７】
0003893290.tif 000008
【図８】
0003893290.tif 000009
【図９】
0003893290.tif 000010
【図１０】
0003893290.tif 000011
【図１１】
0003893290.tif 000012